(57)【特許請求の範囲】
【請求項１】
複数の送光点を含み、前記複数の送光点のうちの少なくとも１つを点灯させることにより被検体に光を照射する送光手段と、
前記送光点に対して所定間隔を有するように配置される複数の受光点を含み、点灯された前記送光点から前記被検体に照射されて前記被検体内から前記被検体の外部に放出された光を前記受光点により受光する受光手段と、
前記複数の送光点のうちから、一の前記送光点と他の前記送光点に対応する１または複数の前記受光点との間の距離を算出する距離算出手段と、
前記距離算出手段により算出された距離の内、最小距離が所定の距離以上離間する場合における前記一の送光点および前記他の送光点から構成される送光点群を、同時点灯可能な送光点群として抽出する送光点抽出手段とを備える、光計測装置。
【請求項２】
前記距離算出手段は、前記複数の送光点のうちの少なくとも１つの前記送光点を、距離を算出するための基準である第１送光点として、前記複数の送光点のうちの前記第１送光点とは異なる前記送光点を第２送光点として設定するとともに、前記第１送光点と前記第２送光点に対応する１または複数の前記受光点との距離である１または複数の第１距離と、前記第２送光点と前記第１送光点に対応する１または複数の前記受光点との距離である１または複数の第２距離とを算出し、
前記送光点抽出手段は、前記距離算出手段により算出された前記第１距離のうちの最小の前記第１距離、および、前記第２距離のうちの最小の前記第２距離が、前記所定の距離以上である前記送光点群を抽出するように構成されている、請求項１に記載の光計測装置。
【請求項３】
前記距離算出手段は、前記複数の送光点の全てに対して、順次前記第１距離と前記第２距離とを算出するように構成されている、請求項２に記載の光計測装置。
【請求項４】
前記送光点抽出手段により抽出された１または複数の前記送光点群を、各点灯サイクル毎に割り当てることにより点灯スケジュールを決定するスケジュール決定手段と、
前記点灯スケジュールに基づいて、割り当てられた前記１または複数の送光点群を、前記各点灯サイクル毎に点灯させる点灯制御手段とをさらに備える、請求項１〜３のいずれか１項に記載の光計測装置。
【請求項５】
前記スケジュール決定手段は、前記点灯スケジュールの前記点灯サイクルの数が、ユーザにより設定された前記点灯サイクルの数よりも小さい場合、前記点灯スケジュールの前記点灯サイクルの数が、ユーザにより設定された前記点灯サイクルの数になるように、前記点灯サイクルに割り当てられた前記送光点群に含まれる前記送光点の数を減少させて、新たな点灯サイクルに前記送光点を設定することにより、前記点灯サイクルの数を調整するように構成されている、請求項４に記載の光計測装置。
【請求項６】
前記点灯スケジュールの前記各点灯サイクルに割り当てられた前記１または複数の送光点群が識別可能な状態で、前記点灯スケジュールを表示する点灯スケジュール表示手段をさらに備える、請求項４または５に記載の光計測装置。
【請求項７】
複数の送光点と、前記送光点に対して所定間隔を有するように配置される複数の受光点とを含み、前記送光点から前記被検体に光を照射し、前記被検体内から前記被検体の外部に放出された光を前記受光点により受光する光計測装置における、同時点灯可能な送光点群を抽出する方法であって、
前記複数の送光点のうちから、一の前記送光点と他の前記送光点に対応する１または複数の前記受光点との間の距離を算出するステップと、
算出した距離の内、最小距離が所定の距離以上離間する場合における前記一の送光点および前記他の送光点から構成される送光点群を、同時点灯可能な送光点群として抽出するステップとを備える、同時点灯可能な送光点群の抽出方法。
【発明の詳細な説明】
【技術分野】
【０００１】
本発明は、光計測装置および同時点灯可能な送光点群の抽出方法に関し、特に、被検体に光を照射する複数の送光点を含む送光手段を備えた光計測装置および同時点灯可能な送光点群の抽出方法に関する。
【背景技術】
【０００２】
従来、被検体に光を照射する複数の送光点を含む送光手段を備えた光計測装置が知られている（たとえば、特許文献１参照）。
【０００３】
上記特許文献１には、生体内の検査領域の複数の位置に光を照射する光照射手段を備えた光計測装置が開示されている。この光計測装置は、光照射手段と、光検出手段と、処理手段とを含む。光照射手段は、生体内の検査領域に配置された複数の送光点から生体内に、順次、光を照射するように構成されている。また、光検出手段は、送光点に対応する位置にそれぞれ配置された複数の受光点を含む。光検出手段は、各送光点から照射され生体内を通過した光を、それぞれの受光点において検出するように構成されている。
【０００４】
また、上記特許文献１には記載されていないが、従来、複数の送光点を含み、複数の送光点のうちの２つ以上の送光点を同時に点灯させることが可能な送光手段を備えた光計測装置も知られている。
【０００５】
上記２つ以上の送光点を同時に点灯させる光計測装置は、ユーザによる設定操作に基づいて、複数の送光点のうちの設定された送光点が同時に点灯されるように構成されている。これにより、送光点が１つずつ順次点灯される場合に比べて、複数の送光点を同時に点灯させる分、複数の送光点を全て点灯させるために要する時間を短くする（サンプリングの間隔を小さくする）ことが可能に構成されている。
【先行技術文献】
【特許文献】
【０００６】
【特許文献１】特許第４０９７５２２号公報
【発明の概要】
【発明が解決しようとする課題】
【０００７】
しかしながら、上記２つ以上の送光点を同時に点灯させる光計測装置では、ユーザにより設定された送光点によっては、１つの受光点に対して複数の送光点からの光（被検体から放出された光）が同時に入射してしまうと考えられる。すなわち、同時点灯する送光点のうちの一の送光点に対応する受光点が、一の送光点からの光に加えて、他の送光点からの光も同時に受光してしまう場合があると考えられる。この場合、光計測装置の処理手段は、一の送光点からの光と他の送光点からの光とを区別することが困難になるので、正確な計測結果を取得することが困難になる。したがって、従来、複数の送光点を全て点灯させるために要する時間を短くしながら、１つの受光点に対して複数の送光点からの光が同時に入射されるのを抑制することが困難であるという問題点がある。
【０００８】
この発明は、上記のような課題を解決するためになされたものであり、この発明の１つの目的は、複数の送光点を全て点灯させるために要する時間を短くしながら、１つの受光点に対して複数の送光点からの光が同時に入射されるのを抑制することが可能な光計測装置を提供することである。
【課題を解決するための手段】
【０００９】
上記目的を達成するために、この発明の第１の局面における光計測装置は、複数の送光点を含み、複数の送光点のうちの少なくとも１つを点灯させることにより被検体に光を照射する送光手段と、送光点に対して所定間隔を有するように配置される複数の受光点を含み、点灯された送光点から被検体に照射されて被検体内から被検体の外部に放出された光を受光点により受光する受光手段と、複数の送光点のうちから、一の送光点と他の送光点に対応する１または複数の受光点との間の距離を算出する距離算出手段と、距離算出手段により算出された距離の内、最小距離が所定の距離以上離間する場合における一の送光点および他の送光点から構成される送光点群を、同時点灯可能な送光点群として抽出する送光点抽出手段とを備える。
【００１０】
この発明の第１の局面による光計測装置では、上記のように、複数の送光点のうちから、一の送光点と他の送光点に対応する受光点との距離が所定の距離以上離間する場合における一の送光点および他の送光点から構成される送光点群を同時点灯可能な送光点群として抽出する送光点抽出手段を設ける。これにより、複数の送光点のうちから、一の送光点と他の送光点に対応する受光点との距離が所定の距離以上離間した送光点のみを、同時点灯可能な送光点群として抽出することができる。そのため、所定の距離として、１つの受光点に対して複数の送光点からの光を同時に受光しないような距離を設定すれば、送光点抽出手段により抽出された送光点群を同時点灯させた場合でも、１つの受光点によって、同時点灯された複数の送光点からの光が同時に受光されることを抑制することができる。その結果、複数の送光点を全て点灯させるために要する時間を短くしながら、１つの受光点に対して複数の送光点からの光が同時に入射されるのを抑制することができる。また、同時点灯可能な送光点群をユーザが自ら設定する場合と異なり、送光点群の誤設定を抑制することができるとともに、計測に関わるユーザの作業負担を軽減させることができる。また、送光点群を抽出する際に、最小でない第１距離および最小でない第２距離と所定の距離とを比較することなく、最小の第１距離および最小の第２距離と所定の距離とを比較するだけで同時点灯可能な送光点群を抽出することができる。その結果、最小でない第１距離および最小でない第２距離と所定の距離とを比較する必要がない分、送光点抽出手段における処理の負担が増加するのを抑制することができる。
【００１１】
上記第１の局面による光計測装置において、好ましくは、距離算出手段は、複数の送光点のうちの少なくとも１つの送光点を、距離を算出するための基準である第１送光点として、複数の送光点のうちの第１送光点とは異なる送光点を第２送光点として設定するとともに、第１送光点と第２送光点に対応する１または複数の受光点との距離である１または複数の第１距離と、第２送光点と第１送光点に対応する１または複数の受光点との距離である１または複数の第２距離とを算出し、送光点抽出手段は、距離算出手段により算出された第１距離のうちの最小の第１距離、および、第２距離のうちの最小の第２距離が、所定の距離以上である送光点群を抽出するように構成されている。このように構成すれば、第１送光点および第２送光点が同時点灯される場合に、第１送光点からの光を第２送光点に対応する受光点が受光してしまうのを抑制することができるとともに、第２送光点からの光を第１送光点に対応する受光点が受光してしまうのを抑制することができる。その結果、１つの受光点が複数の送光点からの光を同時に受光してしまうのを、より確実に抑制することができる。
【００１３】
上記距離算出手段を備える光計測装置において、好ましくは、距離算出手段は、複数の送光点の全てに対して、順次第１距離と第２距離とを算出するように構成されている。このように構成すれば、送光点抽出手段は、複数の送光点の全ての第１距離と第２距離とに基づいて、同時点灯可能な送光点群を抽出することができるので、同時点灯可能な送光点群に含まれる送光点の数を最大にすることができる。その結果、複数の送光点を全て点灯させるために要する時間をより一層短くすることができる。
【００１４】
上記第１の局面による光計測装置において、好ましくは、送光点抽出手段により抽出された１または複数の送光点群を、各点灯サイクル毎に割り当てることにより点灯スケジュールを決定するスケジュール決定手段と、点灯スケジュールに基づいて、割り当てられた１または複数の送光点群を、各点灯サイクル毎に点灯させる点灯制御手段とをさらに備える。このように構成すれば、スケジュール決定手段により点灯スケジュールが（自動的に）決定されるとともに、点灯制御手段により点灯スケジュールに基づいて、送光点群が点灯（同時点灯）される。これにより、ユーザによる点灯スケジュールの決定や、点灯スケジュールに基づいて送光点群を点灯させるためのユーザの操作などのユーザの作業負担を軽減することができる。その結果、光計測装置による計測に関する利便性を向上させることができる。
【００１５】
この場合、好ましくは、スケジュール決定手段は、点灯スケジュールの点灯サイクルの数が、ユーザにより設定された点灯サイクルの数よりも小さい場合、点灯スケジュールの点灯サイクルの数が、ユーザにより設定された点灯サイクルの数になるように、点灯サイクルに割り当てられた送光点群に含まれる送光点の数を減少させて、新たな点灯サイクルに送光点を設定することにより、点灯サイクルの数を調整するように構成されている。このように構成すれば、点灯スケジュールの点灯サイクルの数を、ユーザの必要（使用態様）に応じた数に設定することができる。たとえば、送光点の総数や計測条件の異なる複数回の計測が行われる場合にも、点灯サイクルの数が一定であることが望まれる場合には、ユーザの設定操作に基づいて、複数回の計測における点灯サイクルの数を同一に設定することができる。
【００１６】
上記スケジュール決定手段を備える光計測装置において、好ましくは、点灯スケジュールの各点灯サイクルに割り当てられた１または複数の送光点群が識別可能な状態で、点灯スケジュールを表示する点灯スケジュール表示手段をさらに備える。このように構成すれば、各点灯サイクルに割り当てられた１または複数の送光点群を識別可能な状態で、点灯スケジュールをユーザに対して視認させることができる。これにより、送光点群を自動で抽出する場合でも、抽出された送光点群をユーザが容易に確認することができるので、光計測装置による計測に関する利便性をさらに向上させることができる。
【００１７】
この発明の第２の局面における同時点灯可能な送光点群の抽出方法は、複数の送光点と、送光点に対して所定間隔を有するように配置される複数の受光点とを含み、送光点から被検体に光を照射し、被検体内から被検体の外部に放出された光を受光点により受光する光計測装置における、同時点灯可能な送光点群を抽出する方法であって、複数の送光点のうちから、一の送光点と他の送光点に対応する１または複数の受光点との間の距離を算出するステップと、算出した距離の内、最小距離が所定の距離以上離間する場合における一の送光点および他の送光点から構成される送光点群を、同時点灯可能な送光点群として抽出するステップとを備える。
【００１８】
この発明の第２の局面による同時点灯可能な送光点群の抽出方法では、上記のように、複数の送光点のうちから、一の送光点と他の送光点に対応する受光点との距離が所定の距離以上離間する場合における一の送光点および他の送光点から構成される送光点群を同時点灯可能な送光点群として抽出するステップを設ける。これにより、第２の局面による同時点灯可能な送光点群の抽出方法においても、複数の送光点を全て点灯させるために要する時間を短くしながら、１つの受光点に対して複数の送光点からの光が同時に入射されるのを抑制することができる。また、送光点群を抽出する際に、最小でない第１距離および最小でない第２距離と所定の距離とを比較することなく、最小の第１距離および最小の第２距離と所定の距離とを比較するだけで同時点灯可能な送光点群を抽出することができる。その結果、最小でない第１距離および最小でない第２距離と所定の距離とを比較する必要がない分、送光点抽出手段における処理の負担が増加するのを抑制することができる。
【発明の効果】
【００１９】
本発明によれば、上記のように、複数の送光点を全て点灯させるために要する時間を短くしながら、１つの受光点に対して複数の送光点からの光が同時に入射されるのを抑制することができる。
【図面の簡単な説明】
【００２０】
【図１】本発明の第１実施形態による光計測装置の全体構成を示したブロック図である。
【図２】ホルダと、ホルダに配置された送光プローブおよび受光プローブとを示した斜視図である。
【図３】計測範囲、送光プローブおよび受光プローブの配置、および、計測チャンネルの配置の一例を示した模式図である。
【図４】本発明の第１実施形態による光計測装置の光計測ユニットおよび制御ユニットの構成を示したブロック図である。
【図５】本発明の第１実施形態による光計測装置の点灯スケジュールの一例を示した図である。
【図６】光計測装置の制御部を説明するための機能ブロック図である。
【図７】本発明の第１実施形態による光計測装置の第１距離の算出を説明するための模式図である。
【図８】本発明の第１実施形態による光計測装置の第２距離の算出を説明するための模式図である。
【図９】本発明の第１実施形態による光計測装置のガイダンス表示の一例を示した図である。
【図１０】本発明の第１実施形態による光計測装置の送光点群の抽出および点灯スケジュールの決定の制御処理を説明するためのフローチャートである。
【図１１】本発明の第２実施形態による光計測装置の点灯スケジュールの一例を示した図である。
【図１２】本発明の第２実施形態による光計測装置の点灯スケジュールの決定の制御処理を説明するためのフローチャートである。
【図１３】本発明の第３実施形態による光計測装置の第１距離および第２距離の算出を説明するための模式図である。
【発明を実施するための形態】
【００２１】
以下、本発明を具体化した実施形態を図面に基づいて説明する。
【００２２】
（第１実施形態）
まず、図１〜図９を参照して、本発明の第１実施形態による光計測装置１００の全体構成について説明する。第１実施形態では、光計測装置１００は、近赤外分光法（ＮＩＲＳ）による光計測（脳機能計測）を行う脳機能計測装置である。
【００２３】
図１に示すように、光計測装置１００は、光計測ユニット１と、制御ユニット２とから構成されている。光計測装置１００は、光ファイバ３を介して接続された送光プローブ４および受光プローブ５を用いて、被験者（被検体）の脳活動を計測する機能を有する。なお、光ファイバ３は、本発明の「送光手段」および「受光手段」の一例である。また、送光プローブ４は、本発明の「送光点」および「送光手段」の一例である。また、受光プローブ５は、本発明の「受光点」および「受光手段」の一例である。
【００２４】
光計測装置１００の送光プローブ４および受光プローブ５は、それぞれ、被験者の頭部に装着されたプローブ固定用のホルダ６に取り付けられることにより、被験者の頭部表面上の所定位置に配置される。そして、光計測装置１００は、送光プローブ４から近赤外光の波長領域の計測光を照射し、被験者の頭内で反射した計測光を受光プローブ５に入射させて検出することにより、計測光の強度（受光量）を取得する。取得した計測光の強度に基づいて、脳活動に伴うヘモグロビン量（酸素化ヘモグロビン、脱酸素化へモグロビンおよび総ヘモグロビン）の変化を取得することができる。これにより、光計測装置１００は、脳活動に伴うヘモグロビン量の変化、すなわち血流量の変化や酸素代謝の活性化状態を非侵襲で取得することが可能である。光計測では、送光プローブ４および受光プローブ５のペアによって構成される計測点（計測チャンネル７（図３参照））毎に、脳活動が計測される。計測データは、脳機能計測におけるレスト期間に対するタスク期間の相対的なヘモグロビン変化量として取得される。
【００２５】
図２に示すように、ホルダ６は、等間隔Ａ（たとえば３ｃｍ）で行列状に配列された多数の取付穴６ａを有しており、それぞれの取付穴６ａに１つずつ送光プローブ４または受光プローブ５を挿入して固定することが可能となっている。このため、隣接する送光プローブ４と受光プローブ５とは、所定間隔Ａを隔てるように配置される。送光プローブ４および受光プローブ５は、各取付穴６ａに対して、行および列の各方向に交互に並ぶように配置される。これにより、図３に示すように、隣接する送光プローブ４と受光プローブ５との間に計測チャンネル７が形成される。ユーザ（装置操作者）は、計測したい部位（前頭部、頭頂部、側頭部、後頭部など）に応じて取付穴６ａへのプローブ配置を決定し、送光プローブ４および受光プローブ５をホルダ６に取り付ける。なお、図２では、２本の送光プローブ４および２本の受光プローブ５のみ、ホルダ６に取り付けられている状態を示している。また、図３では、１４本の送光プローブ４および１３本の受光プローブ５が、ホルダ６に取り付けられている例を示している。また、送光プローブ４と計測チャンネル７を形成している受光プローブ５は、本発明の「送光点に対応する受光点」の一例である。
【００２６】
次に、光計測装置１００の装置構成について詳細に説明する。
【００２７】
光計測ユニット１は、たとえば、１４本の送光プローブ４および１３本の受光プローブ５を備えている。図３に示すように、１４本の送光プローブ４および１３本の受光プローブ５を、送光プローブ４と受光プローブ５とが隣り合うとともに、３行×９列に配置した場合には、送光プローブ４と受光プローブ５とは、４２チャンネルの計測チャンネル７を形成する。
【００２８】
光計測ユニット１は、図４に示すように、筐体１０内に、光源１１と、光検出部１２と、光源駆動部１３と、Ａ／Ｄ変換器１４と、本体制御部１５と、通信部１６と、記憶部１７とを備えている。なお、光源１１および光源駆動部１３は、本発明の「送光手段」の一例である。また、光検出部１２は、本発明の「受光手段」の一例である。また、本体制御部１５は、本発明の「点灯制御部」の一例である。
【００２９】
光源１１は、光ファイバ３を介して送光プローブ４に計測光を出力するように構成されている。光源１１は、半導体レーザーやＬＥＤなどからなり、近赤外光の波長領域で複数波長の計測光を出力可能に構成されている。光検出部１２は、ＡＰＤ（アバランシェフォトダイオード）や光電子増倍管などからなり、受光プローブ５に入射した計測光を、光ファイバ３を介して検出するように構成されている。その結果、光検出部１２は、検出した計測光に応じた受光量信号をＡ／Ｄ変換器１４に出力する。光源駆動部１３は、本体制御部１５からの制御信号に従って光源１１（各々の送光プローブ４）を点灯および消灯させるように構成されている。Ａ／Ｄ変換器１４は、光検出部１２の受光量信号を所定のデジタル信号に変換して、本体制御部１５へ出力するように構成されている。
【００３０】
本体制御部１５は、ＣＰＵやメモリなどから構成されるコンピュータである。本体制御部１５は、計測用プログラムを実行することにより、光計測ユニット１の各部を制御するように構成されている。たとえば、本体制御部１５は、Ａ／Ｄ変換器１４から取得した受光量信号に基づく計測データを、記憶部１７に記憶する制御を行う。また、本体制御部１５は、通信部１６を介して、計測データを制御ユニット２に送信する制御を行う。また、本体制御部１５は、制御ユニット２から後述する点灯スケジュールデータ２３ｂを取得して、取得した点灯スケジュールデータ２３ｂに基づいて、光源駆動部１３（光源１１）の動作制御を行う。なお、点灯スケジュールデータ２３ｂは、本発明の「点灯スケジュール」の一例である。
【００３１】
通信部１６は、制御ユニット２の後述する通信部２４との間で相互に無線または有線通信可能に構成されている。記憶部１７は、フラッシュメモリなどの不揮発性メモリからなる。そして、記憶部１７には、脳機能計測の計測データなどが格納される。
【００３２】
次に、制御ユニット２は、ＣＰＵなどから構成される制御部２１および解析部２２と、ＨＤＤなどからなる記憶部２３と、通信部２４とを備えたコンピュータ（ＰＣ）である。制御部２１および解析部２２は、それぞれ、記憶部２３に格納された制御プログラム２３ａをＣＰＵが実行することによって実現される機能ブロックとして構成されている。なお、制御部２１および解析部２２は、機能ブロックとしてではなく、専用のハードウェア（専用ＣＰＵ）によりそれぞれ構成されてもよい。また、制御ユニット２は、液晶ディスプレイなどからなる表示部２５と、キーボードやマウスなどからなる操作入力部２６とを備えている。
【００３３】
制御部２１は、制御ユニット２の各部を制御する。たとえば、制御部２１は、通信部２４を介して光計測ユニット１の計測データを取得して、記憶部２３に計測データを記憶する。解析部２２は、記憶部２３に記録された計測データに対する画像化（グラフ化）処理や、統計処理等を行うための演算処理を行う。
【００３４】
記憶部２３は、制御プログラム２３ａや、計測条件および計測パラメータなどの各種情報を記憶する。また、記憶部２３は、後述する点灯スケジュールデータ２３ｂを記憶する。また、通信部２４は、光計測ユニット１の通信部１６と相互通信可能に構成されている。
【００３５】
表示部２５は、解析部２２により画像化処理された計測データや、点灯スケジュールデータ２３ｂを表示するガイダンス表示（図９参照）等を表示する。操作入力部２６は、ユーザからの入力操作を受け付ける。
【００３６】
ここで、第１実施形態では、光計測装置１００の制御部２１は、図３に示すような計測条件が設定された場合には、同時点灯可能な送光点群（送光点のグループ）を抽出するとともに、図５に示すような点灯スケジュールＳを決定する制御を行うように構成されている。なお、本明細書において同時点灯可能とは、複数（または１本）の送光プローブ４を（同時）点灯させた場合に、送光プローブ４と計測チャンネル７を形成する受光プローブ５に複数の送光プローブ４からの計測光が同時に入射されない状態であるとして記載している。
【００３７】
そして、点灯スケジュールＳは、複数の点灯サイクルにより構成されており、各点灯サイクル毎に、同時点灯可能な送光プローブ４として抽出した送光点群が割り当てられている。なお、点灯サイクルとは、送光プローブ４を点灯させる一定の期間（たとえば、１５ｍｓ）である。
【００３８】
図５では、縦軸が送光プローブ４の番号を示し、横軸が点灯サイクルの番号を示している。また、点灯させる送光プローブ４をハッチング表示して示している。すなわち、各送光プローブ４は、いずれかの点灯サイクルに割り当てられ、同じ点灯サイクルに割り当てられた送光プローブ４は同時に点灯される。なお、送光プローブ４の番号とは、図３に示す送光プローブ４に付与された番号である。また、点灯サイクルの番号は、点灯サイクル毎に付与された番号であり、点灯サイクルの番号順に、割り当てられた送光点（送光点群）が点灯される。
【００３９】
ここで、同時点灯可能な送光点群をＷ（ａ）とする。ａは、送光点群に含まれる送光プローブ４のうち、ａ番目の送光プローブ４を意味する。たとえば、図５の例では、点灯サイクルの番号が１の点灯サイクルには、Ｗ（１）＝１、Ｗ（２）＝８、および、Ｗ（３）＝１３からなる３つの同時点灯可能な送光点群Ｗ（ａ）が割り当てられている。図５の例では、点灯スケジュールＳは、点灯サイクルの番号が１から７までの点灯サイクルからなっている。以下、制御部２１による同時点灯可能な送光点群Ｗ（ａ）の抽出と、制御部２１による点灯スケジュールＳの決定とについて具体的に説明する。
【００４０】
図６に示すように、制御部２１は、ＣＰＵが記憶部２３に記憶された制御プログラム２３ａを実行することによって、領域設定部３１、距離算出部３２、送光点抽出部３３、および、スケジュール決定部３４として機能するように構成されている。これらの各部の処理によって、同時点灯可能な送光点群Ｗ（ａ）が抽出され、点灯スケジュールＳ（点灯スケジュールデータ２３ｂ）の生成が行われる。なお、距離算出部３２は、本発明の「距離算出手段」の一例である。また、送光点抽出部３３は、本発明の「送光点抽出手段」の一例である。また、スケジュール決定部３４は、本発明の「スケジュール決定手段」の一例である。
【００４１】
領域設定部３１は、ユーザによる操作入力部２６や記憶部２３からの情報の読み込み等により、計測条件（計測範囲ＭＡ）や送光プローブ４および受光プローブ５の配置に関する情報を取得して設定するように構成されている。
【００４２】
距離算出部３２は、領域設定部３１により設定された計測条件等に基づいて、各プローブ間の距離を算出する。また、距離算出部３２が算出した距離に基づいて、着目する送光プローブ４が同時点灯可能な送光プローブ４に該当するか否かを判断することができる。
【００４３】
ここで、距離を算出するための基準として設定される送光プローブ４を、第１送光点Ｅとする。また、複数の送光プローブ４のうちの第１送光点Ｅとは異なる送光プローブ４のうちから任意に設定される送光プローブ４を第２送光点Ｆとする。また、第１送光点Ｅと計測チャンネル７を形成する受光プローブ５を受光点Ｅｒとする。また、第２送光点Ｆと計測チャンネル７を形成する受光プローブ５を受光点Ｆｒとする。たとえば、図７に示すように、１番の送光プローブ４を第１送光点Ｅとすると、１番および２番の受光プローブ５が受光点Ｅｒである。そして、８番の送光プローブ４を第２送光点Ｆとすると、６番、７番および９番の受光プローブ５が受光点Ｆｒである。
【００４４】
距離算出部３２は、第１実施形態では、複数の送光プローブ４のうちの少なくとも１本の送光プローブ４を第１送光点Ｅとして設定する。また、距離算出部３２は、複数の送光プローブ４のうちから第２送光点Ｆを設定する。そして、距離算出部３２は、第１送光点Ｅと受光点Ｆｒとの距離である第１距離Ｄ（図７参照）と、第２送光点Ｆと受光点Ｅｒとの距離である第２距離ｄ（図８参照）とを算出するように構成されている。
【００４５】
送光点抽出部３３は、第１実施形態では、距離算出部３２により算出された第１距離Ｄのうちの最小の第１距離Ｄ、および、第２距離ｄのうちの最小の第２距離ｄが、距離Ｐ以上であるか否かを判断するように構成されている。そして、最小の第１距離Ｄおよび最小の第２距離ｄが距離Ｐ以上である場合には、第１送光点Ｅと第２送光点Ｆとを１つの送光点群Ｗ（ａ）に登録するように構成されている。
【００４６】
ここで、距離Ｐは、受光点Ｅｒ（または受光点Ｆｒ）が、複数の送光プローブ４からの光を同時に受光しないような距離であり、たとえば、１００ｍｍに設定される。なお、距離Ｐは、本発明の「所定の距離」の一例である。
【００４７】
なお、距離算出部３２は、第１実施形態では、複数の送光プローブ４の全てに対して、順次、第１送光点Ｅまたは第２送光点Ｆに設定して、それぞれの第１距離Ｄと第２距離ｄとを算出するように構成されている。そして、送光点抽出部３３は、それぞれの最小の第１距離Ｄと最小の第２距離ｄが距離Ｐ以上であるか否かを判断して、最小の第１距離Ｄおよび最小の第２距離ｄが距離Ｐ以上である場合には、第１送光点Ｅと第２送光点Ｆとをそれぞれ１つの送光点群Ｗ（ａ）に追加して、登録するように構成されている。
【００４８】
スケジュール決定部３４は、第１実施形態では、送光点抽出部３３により抽出された送光点群Ｗ（ａ）を、各点灯サイクル毎に割り当てることにより点灯スケジュールＳを決定するように構成されている。
【００４９】
次に、図３、図５、図７および図８を参照して、制御部２１による同時点灯可能な送光点群Ｗ（ａ）の抽出と、制御部２１による点灯スケジュールＳの決定との具体例について説明する。
【００５０】
領域設定部３１は、計測条件（計測範囲ＭＡ）に関する情報を取得して、図３に示す送光プローブ４および受光プローブ５の配置（３行×９列）を決定する。
【００５１】
図７では、距離算出部３２は、１番の送光プローブ４を第１送光点Ｅとして設定するとともに、８番の送光プローブ４を第２送光点Ｆとして設定した場合を示している。この場合、距離算出部３２は、第１送光点Ｅと各受光点Ｆｒとの距離である第１距離Ｄ１〜Ｄ３を算出する。また、図８に示すように、距離算出部３２は、第２送光点Ｆと各受光点Ｅｒとの距離である第２距離ｄ１およびｄ２を算出する。なお、距離算出部３２は、たとえば、上記した間隔Ａと、送光プローブ４および受光プローブ５の配置情報とを用いて、それぞれの距離を算出する。
【００５２】
図７および図８の例では、送光点抽出部３３は、第１送光点Ｅ（１番の送光プローブ４）を送光点群Ｗ（１）に登録して、１番の送光プローブ４と同時点灯可能な送光プローブ４を抽出する。すなわち、送光点抽出部３３は、第１距離Ｄ１〜Ｄ３のうちの最小の第１距離Ｄである第１距離Ｄ１、および、第２距離ｄ１およびｄ２のうちの最小の第２距離ｄである第２距離ｄ２が距離Ｐ以上であるか否かを判断する。この例の場合、Ｐ≦Ｄ１、Ｐ≦ｄ２であるので、送光点群Ｗ（ａ）には、１番および８番の送光プローブ４が登録される。
【００５３】
また、複数の送光点が送光点群Ｗ（ａ）に登録された場合、距離算出部３２は、登録された送光点群Ｗ（ａ）（１番および８番の送光プローブ４）をそれぞれ第１送光点Ｅとして設定して、第１距離Ｄおよび第２距離ｄを算出する。距離算出部３２が１３番の送光プローブ４を第２送光点Ｆとして設定した場合には、距離算出部３２は、第１距離Ｄ４〜Ｄ７と、第２距離ｄ４〜ｄ７とが算出される。そして、送光点抽出部３３は、第１距離Ｄ４〜Ｄ７、および、第２距離ｄ４〜ｄ７と距離Ｐとの比較を行う。この場合、Ｐ≦Ｄ６、Ｐ≦ｄ７となることから、送光点抽出部３３は、第２送光点Ｆ（１３番の送光プローブ４）を送光点群Ｗ（ａ）に追加して登録する。
【００５４】
以上のようにして、距離算出部３２は、他の（２番〜７番、９番〜１２番および１４番の）送光プローブ４も順次、第２送光点Ｆとして設定して、それぞれの第１距離Ｄおよび第２距離ｄを算出する。この結果、図７および図８に示す例では、最終的に１番、８番および１３番の送光プローブ４が送光点群Ｗ（ａ）に登録される。
【００５５】
そして、図５に示すように、スケジュール決定部３４は、送光点抽出部３３により抽出された送光点群Ｗ（ａ）を、点灯スケジュールＳに登録する。図５では、抽出された１番、８番および１３番が１番目の点灯サイクルに登録されている。
【００５６】
そして、距離算出部３２と送光点抽出部３３とスケジュール決定部３４とは、点灯スケジュールＳに登録されていない送光プローブ４についても、順次、上記の処理を繰り返す。これにより、図５に示すように、全ての送光プローブ４がいずれかの点灯サイクル（点灯サイクルの番号が１〜７）に割り当てられ、点灯スケジュールＳが決定される。スケジュール決定部３４は、決定された点灯スケジュールＳを記憶部２３に点灯スケジュールデータ２３ｂとして記憶させるように構成されている。
【００５７】
以上のようにして点灯スケジュールＳが決定されると、制御部２１は、図６に示すように、光計測ユニット１に点灯スケジュールデータ２３ｂを送信する制御を行う。光計測ユニット１の本体制御部１５は、第１実施形態では、点灯スケジュールＳに基づいて、割り当てられた（登録された）送光点群Ｗ（ａ）を、各点灯サイクル毎に点灯させる制御を行うように構成されている。具体的には、本体制御部１５は、取得した点灯スケジュールデータ２３ｂに基づいて、光源駆動部１３を駆動させて、光源１１から計測光を照射させる制御を行うように構成されている。
【００５８】
また、制御部２１は、点灯スケジュール表示制御部３５を含む。点灯スケジュール表示制御部３５は、点灯スケジュールＳの各点灯サイクルに割り当てられた送光点群Ｗ（ａ）が識別可能な状態で、点灯スケジュールＳ（ガイダンス表示）を表示部２５に表示する制御を行うように構成されている。たとえば、図９に示すように、点灯スケジュール表示制御部３５は、制御ユニット２の表示部２５に表示される送光プローブ４および受光プローブ５の配置図上に、送光点群Ｗ（ａ）が各点灯サイクル毎に色分けされた状態で表示するように構成されている。なお、図９では、説明のために各点灯サイクル毎の色分けを行うことをそれぞれハッチングの種類を変えて図示することにより示している。
【００５９】
次に、図１０を参照して、本実施形態の光計測装置１００による送光点群Ｗ（ａ）の抽出および点灯スケジュールＳの決定の制御処理について説明する。以下の制御処理は、光計測装置１００の制御部２１（領域設定部３１、距離算出部３２、送光点抽出部３３、および、スケジュール決定部３４）（図６参照）によって実行される。なお、Ｔは、最初に第１送光点Ｅとして設定される送光プローブ４の番号である。また、ｔは、第２送光点Ｆとして設定される送光プローブ４の番号である。また、Ｎは、送光プローブ４の総数（たとえば、１４）である。
【００６０】
ここで、図１０のステップＳ６〜Ｓ１２は、Ｔを含む同時点灯可能な送光点群Ｗ（ａ）を、送光点抽出部３３が抽出するための第１ループを構成する。また、ステップＳ４〜Ｓ１５は、第１ループによって抽出された送光点群Ｗ（ａ）を順次点灯サイクルに登録することにより、全て（Ｎ本）の送光プローブ４がいずれかの点灯サイクルに含まれるような点灯スケジュールＳを決定するための第２ループを構成する。
【００６１】
まず、図１０のステップＳ１において、領域設定部３１により、計測条件および配置情報が設定される。その後、ステップＳ２に進む。
【００６２】
ステップＳ２において、Ｔが１として設定される。すなわち、距離算出部３２により、１番の送光プローブ４が、第１送光点Ｅとして設定される。その後、ステップＳ３に進む。
【００６３】
ステップＳ３において、Ｔが点灯スケジュールＳに登録されているか否かが判断される。すなわち、距離算出部３２により、点灯スケジュールＳが参照され、Ｔが点灯スケジュールＳに登録されているか否かが判断される。Ｔが点灯スケジュールＳに登録されている場合には、ステップＳ１４に進み、Ｔが点灯スケジュールＳに登録されていない場合には、ステップＳ４に進む。
【００６４】
ステップＳ４において、送光点群Ｗ（ａ）にＴが登録される。すなわち、送光点抽出部３３により、送光点群Ｗ（ａ）の１番目に登録される送光点（送光点群Ｗ（１）＝Ｔ）として、番号がＴの送光プローブ４が送光点群Ｗ（ａ）に登録される。たとえば、Ｔ＝１の場合には、１番の送光プローブ４が登録される。その後、ステップＳ５に進む。
【００６５】
ステップＳ５において、ｔがＴ＋１として設定される。すなわち、送光点抽出部３３により、Ｔ＋１番の送光プローブ４が、第２送光点Ｆとして設定される。その後、ステップＳ６に進む。
【００６６】
ステップＳ６において、ｔが点灯スケジュールＳに登録されているか否かが判断される。ｔが点灯スケジュールＳに登録済みの場合には、ステップＳ１１に進み、ｔが点灯スケジュールＳに登録されていない場合には、ステップＳ７に進む。
【００６７】
ステップＳ７において、送光点群Ｗ（ａ）が第１送光点Ｅとして設定され、送光点群Ｗ（ａ）に登録されている各送光プローブ４（第１送光点Ｅ）と、ｔの送光プローブ４と計測チャンネル７を形成する受光プローブ５（受光点Ｆｒ）との最小の第１距離Ｄ（図７参照）が、距離算出部３２により算出される。その後、ステップＳ８に進む。
【００６８】
ステップＳ８において、第２送光点Ｆ（ｔの送光プローブ４）と、送光点群Ｗ（ａ）に登録されている送光プローブ４と計測チャンネル７を形成する受光プローブ５（受光点Ｅｒ）との最小の第２距離ｄ（図８参照）が、距離算出部３２により算出される。その後、ステップＳ９に進む。
【００６９】
ステップＳ９において、送光点抽出部３３により、最小の第１距離Ｄおよび最小の第２距離ｄが、距離Ｐ以上か否かが判断される。最小の第１距離Ｄおよび最小の第２距離ｄが共に、距離Ｐ以上の場合には、ステップＳ１０に進み、最小の第１距離Ｄまたは最小の第２距離ｄのうちのいずれかが、距離Ｐ以上でない（距離Ｐ未満の）場合、ステップＳ１１に進む。
【００７０】
また、ステップＳ１０では、送光点抽出部３３により、ｔが送光点群Ｗ（ａ）に登録される。なお、たとえば、ｔが送光点群Ｗ（ａ）に登録されるのが２番目の場合には、Ｗ（２）＝ｔとして登録される。その後、ステップＳ１１に進む。
【００７１】
ステップＳ１１において、送光点抽出部３３により、ｔと、Ｎとが等しい数か否かが判断される。ｔと、Ｎとが等しい数の場合には、ステップＳ１３に進み、ｔと、Ｎとが等しい数でない場合には、ステップＳ１２に進む。
【００７２】
また、ステップＳ１２では、距離算出部３２により、ｔに１が加えられる。たとえば、ｔが２の場合には、ｔは３に設定され、ステップＳ６に戻る。すなわち、ｔがＴ＋１から１ずつ加えられ、Ｎになるまで、ステップＳ４〜Ｓ１１が繰り返される。この結果、着目している第１送光点Ｅ（＝Ｔ）についての同時点灯可能な第２送光点Ｆ（＝ｔ）が全て抽出される。
【００７３】
ステップＳ１３において、スケジュール決定部３４により、点灯スケジュールＳに送光点群Ｗ（ａ）が１つの点灯サイクルとして登録される。その後、ステップＳ１４に進む。
【００７４】
ステップＳ１４において、距離算出部３２により、Ｔと、Ｎとが等しい数か否かが判断される。Ｔと、Ｎとが等しい数でない場合には、ステップＳ１５に進み、Ｔと、Ｎとが等しい数の場合には、ステップＳ１６に進む。
【００７５】
また、ステップＳ１５では、距離算出部３２により、Ｔに１が加えられる。たとえば、Ｔが１の場合には、Ｔは２に設定され、ステップＳ４に戻る。すなわち、Ｔが１から１ずつ加えられ、Ｎになるまで、ステップＳ４〜Ｓ１４が繰り返される。この結果、抽出された送光点群Ｗ（ａ）が次々と点灯スケジュールＳに登録され、各点灯サイクルに順次割り当てられる。
【００７６】
ステップＳ１６において、スケジュール決定部３４により、点灯スケジュールＳが点灯スケジュールデータ２３ｂとして記憶部２３に記憶される。その後、第１実施形態による光計測装置１００の送光点群Ｗ（ａ）の抽出および点灯スケジュールＳの決定の制御処理フローが終了される。
【００７７】
第１実施形態では、以下のような効果を得ることができる。
【００７８】
第１実施形態では、上記のように、光計測装置１００に、複数の送光プローブ４のうちから、一の送光プローブ４（第１送光点Ｅまたは第２送光点Ｆ）と他の送光プローブ４（第２送光点Ｆまたは第１送光点Ｅ）に対応する受光プローブ５（受光点Ｅｒまたは受光点Ｆｒ）との距離（第１距離Ｄおよび第２距離ｄ）が距離Ｐ以上離間する場合における一の送光プローブ４および他の送光プローブ４から構成される送光点群を同時点灯可能な送光点群Ｗ（ａ）として抽出する送光点抽出部３３を設ける。これにより、複数の送光プローブ４のうちから、一の送光プローブ４（第１送光点Ｅまたは第２送光点Ｆ）と、他の送光プローブ４（第２送光点Ｆまたは第１送光点Ｅ）に対応する受光プローブ５（受光点Ｅｒまたは受光点Ｆｒ）との距離（第１距離Ｄおよび第２距離ｄ）が距離Ｐ以上離間した送光プローブ４のみを、同時点灯可能な送光点群Ｗ（ａ）として抽出することができる。そのため、距離Ｐを、１つの受光プローブ５に対して複数の送光プローブ４からの光を同時に受光しないような距離として設定することによって、送光点抽出部３３により抽出された同時点灯可能な送光点群Ｗ（ａ）を同時点灯させた場合でも、１つの受光プローブ４によって、同時点灯された複数の送光プローブ４からの計測光が同時に受光されることを抑制することができる。その結果、複数の送光プローブ４を全て点灯させるために要する時間（サンプリングの間隔）を短くしながら、１つの受光プローブ５に対して複数の送光プローブ４からの光が同時に入射されるのを抑制することができる。また、同時点灯可能な送光点群をユーザが自ら設定する場合と異なり、送光点群の誤設定を抑制することができるとともに、計測に関わるユーザの作業負担を軽減させることができる。
【００７９】
ここで、たとえば、比較例として、図３において各チャンネル毎に１本ずつ送光プローブ４を順次点灯させる場合には、点灯スケジュールの点灯サイクルの数は、送光プローブ４の数と等しい１４サイクルとなる。この場合、たとえば、１サイクル当たりに要する時間を１５ｍｓとして、無点灯期間を１５ｍｓとすれば、点灯スケジュールを１回実行するためには、１５ｍｓ×１４サイクル＋１５ｍｓ＝２２５ｍｓの期間を要する。すなわち、点灯サイクルの数が１４サイクルの場合には、サンプリングの間隔が２２５ｍｓとなる。
【００８０】
これに対して、第１実施形態による光計測装置１００により決定された図５の点灯スケジュールＳに含まれる点灯サイクルの数は、７サイクルである。したがって、１サイクル当たりに要する時間を１５ｍｓとして、無点灯期間を１５ｍｓとすると、点灯スケジュールＳを１回実行するためには、１５ｍｓ×７サイクル＋１５ｍｓ＝１２０ｍｓの期間を要する。その結果、スケジュール決定部３４により決定された点灯スケジュールＳは、比較例として上記した各チャンネル毎に１本ずつ送光プローブ４を順次点灯させる場合の点灯スケジュールに比べて、サンプリングの間隔が１２５ｍｓ（＝２２５ｍｓ−１２０ｍｓ）短縮される。
【００８１】
また、第１実施形態では、上記のように、光計測装置１００に、複数の送光プローブ４のうちの少なくとも１つの送光プローブ４を、距離を算出するための基準である第１送光点Ｅとして、複数の送光プローブ４のうちの第１送光点Ｅとは異なる送光点を第２送光点Ｆとして設定する距離算出部３２を設ける。そして、距離算出部３２を、第１送光点Ｅと、第２送光点Ｆに計測チャンネル７を形成する受光点Ｆｒ（受光プローブ５）との距離である第１距離Ｄと、第２送光点Ｆと、第１送光点Ｅに計測チャンネル７を形成する受光点Ｅｒ（受光プローブ５）との距離である第２距離ｄとを算出するように構成する。また、送光点抽出部３３を、距離算出部３２により算出された第１距離Ｄおよび第２距離ｄが距離Ｐ以上である送光点群Ｗ（ａ）を抽出するように構成する。これにより、第１送光点Ｅおよび第２送光点Ｆが同時点灯される場合に、第１送光点Ｅからの光を第２送光点Ｆに受光点Ｆｒが受光してしまうのを抑制することができるとともに、第２送光点Ｆからの光を受光点Ｅｒが受光してしまうのを抑制することができる。その結果、１つの受光プローブ５（受光点ＥｒまたはＦｒ）が複数の送光プローブ４（第１送光点Ｅおよび第２送光点Ｆ）からの光を同時に受光してしまうのを、より確実に抑制することができる。
【００８２】
また、第１実施形態では、上記のように、送光点抽出部３３を、距離算出部３２により算出された第１距離Ｄ（たとえば、第１距離Ｄ１〜Ｄ３）のうちの最小の第１距離Ｄ（たとえば、第１距離Ｄ１）、および、第２距離ｄ（たとえば、第２距離ｄ１およびｄ２）のうちの最小の第２距離ｄ（たとえば、第２距離ｄ２）が、距離Ｐ以上である送光点群Ｗ（ａ）を抽出するように構成する。これにより、送光点群Ｗ（ａ）を抽出する際に、最小でない第１距離Ｄ（第１距離Ｄ２およびＤ３）および最小でない第２距離ｄ（第２距離ｄ１）と距離Ｐとを比較することなく、最小の第１距離Ｄ（第１距離Ｄ１）および最小の第２距離ｄ（第２距離ｄ２）と距離Ｐとを比較するだけで、同時点灯可能な送光点群Ｗ（ａ）を抽出することができる。その結果、最小でない第１距離Ｄ（第１距離Ｄ２およびＤ３）および最小でない第２距離ｄ（第２距離ｄ１）と所定の距離とを比較する必要がない分、送光点抽出部３３における処理の負担が増加するのを抑制することができる。
【００８３】
また、第１実施形態では、上記のように、距離算出部３２を、複数の送光プローブ４の全てに対して、順次第１距離Ｄと第２距離ｄとを算出するように構成する。これにより、送光点抽出部３３は、複数の送光プローブ４の全ての第１距離Ｄと第２距離ｄとに基づいて、同時点灯可能な送光点群Ｗ（ａ）を抽出することができるので、複数の送光プローブ４のうちの一部の第１距離Ｄと第２距離ｄとに基づく場合と異なり、同時点灯可能な送光点群Ｗ（ａ）に含まれる送光点（送光プローブ４）の数を最大にすることができる。その結果、複数の送光プローブ４を全て点灯させるために要する時間をより一層短くすることができる。
【００８４】
また、第１実施形態では、上記のように、光計測装置１００に、送光点抽出部３３により抽出された送光点群Ｗ（ａ）を、各点灯サイクル毎に割り当てることにより点灯スケジュールＳを決定するスケジュール決定部３４を設ける。また、光計測装置１００に、点灯スケジュールＳに基づいて、割り当てられた送光点群Ｗ（ａ）を、各点灯サイクル毎に点灯させる点灯制御部３５を設ける。これにより、スケジュール決定部３４により点灯スケジュールＳが（自動的に）決定されるとともに、点灯制御部３５により点灯スケジュールＳに基づいて、送光点群Ｗ（ａ）が点灯（同時点灯）される。その結果、ユーザが点灯スケジュールＳを決定することと、点灯スケジュールＳに基づいて送光点群Ｗ（ａ）を点灯させるためのユーザの操作とが必要とされない。これにより、ユーザによる点灯スケジュールＳの決定や、点灯スケジュールＳに基づいて送光点群Ｗ（ａ）を点灯させるためのユーザの操作などのユーザの作業負担を軽減することができる。その結果、光計測装置１００による計測に関する利便性を向上させることができる。
【００８５】
また、第１実施形態では、上記のように、光計測装置１００に、点灯スケジュールＳの各点灯サイクルに割り当てられた送光点群Ｗ（ａ）が識別可能な状態で、点灯スケジュールＳを表示する点灯スケジュール表示制御部３５を設ける。これにより、各点灯サイクルに割り当てられた送光点群Ｗ（ａ）を識別可能な状態で、点灯スケジュールＳをユーザに対して視認させることができる。これにより、送光点群Ｗ（ａ）を自動で抽出する場合でも、抽出された送光点群Ｗ（ａ）をユーザが容易に確認することができるので、光計測装置１００による計測に関する利便性をさらに向上させることができる。
【００８６】
（第２実施形態）
次に、図６を参照して、第２実施形態による光計測装置２００の構成について説明する。第２実施形態による光計測装置２００では、スケジュール決定部は、点灯スケジュールの点灯サイクルの数が、ユーザにより設定された点灯サイクルの数になるように、割り当てられた送光点群Ｗ（ａ）に含まれる送光点の数を増減させるように構成されている。なお、第２実施形態において、上記第１実施形態と同様の構成については同一の符号を付し、説明を省略する。
【００８７】
図６に示すように、第２実施形態による光計測装置２００の制御部２２１には、スケジュール決定部２３４が設けられている。スケジュール決定部２３４は、点灯スケジュールＳの点灯サイクルの数Ｘが、ユーザにより設定された点灯サイクルの数Ｙになるように、割り当てられた送光点群Ｗ（ａ）に含まれる送光プローブ４の数を増減させるように構成されている。
【００８８】
すなわち、送光点抽出部３３により抽出された送光点群Ｗ（ａ）を、単純に点灯スケジュールＳに登録した場合に、点灯サイクルの数Ｘ（図５ではＸ＝７）の点灯スケジュールＳが得られるとする。そして、ユーザにより設定された点灯サイクルの数がＹ（≠Ｘ）である場合に、スケジュール決定部２３４は、送光点群Ｗ（ａ）に含まれる送光プローブ４（送光点）の一部を抜き出して、他の点灯サイクルに設定する（送光点群Ｗ（ａ）に含まれる送光点の数を増減させる）ことにより、点灯サイクルの数ＸをＹに一致させる。図１１では、Ｙ＝１０の場合の例を示しており、図５の点灯スケジュールＳに対して３サイクル加えられている。
【００８９】
なお、図１０に示す送光点群Ｗ（ａ）の抽出および点灯スケジュールの決定の制御処理を行って点灯スケジュールＳを決定する場合には、点灯サイクルの数Ｘは、与えられた計測条件において最小の値となる。このため、ユーザにより設定された点灯サイクルの数ＹがＸよりも小さい場合は、点灯サイクルの数ＸをＹに調整することはできない。この場合、たとえば、制御部２２１は、ユーザにより設定された点灯サイクルの数Ｙが点灯サイクルの数Ｘ（最小値）よりも小さい旨を表示部２５に表示する。また、第２実施形態による光計測装置２００のその他の構成は、第１実施形態における光計測装置１００と同様である。
【００９０】
次に、図１１および図１２を参照して、本実施形態の光計測装置２００による点灯スケジュールＳの決定の制御処理について説明する。以下の制御処理は、光計測装置２００の制御部２２１（スケジュール決定部２３４）（図６参照）によって実行される。なお、計測条件（計測範囲ＭＡ）は、図３に示すように設定されているとする。
【００９１】
ここでは、点灯サイクルの数Ｙは、ユーザの操作入力部２６の設定操作などにより、予め１０に設定されているものとする。そして、光計測装置２００による点灯スケジュールＳの決定の制御処理は、図１０に示す送光点群Ｗ（ａ）の抽出および点灯スケジュールの決定の制御処理の後に実行されるものとする。すなわち、図５に示す、点灯サイクルの数が７（Ｘ）の点灯スケジュールＳを、図１１に示す点灯サイクルの数が１０（Ｙ）の点灯スケジュールＳに変更する処理について説明する。
【００９２】
まず、図１２に示すように、ステップＳ１０１において、点灯サイクルの数Ｘが、点灯サイクルの数Ｙと一致するか否かが判断される。点灯サイクルの数Ｘが、点灯サイクルの数Ｙと一致する場合には、光計測装置２００による点灯スケジュールＳの決定の制御処理が終了される。すなわち、図１０に示す点灯スケジュールＳの決定の制御処理において決定された点灯スケジュールＳの点灯サイクルの数Ｘが、点灯サイクルの数Ｙと一致する場合には、点灯スケジュールＳの点灯サイクルの数Ｘは調整されずに処理が終了される。点灯スケジュールＳのサイクル数Ｘが、予め設定された点灯サイクルの数Ｙと一致しない場合には、ステップＳ１０２に進む。なお、Ｘ＝７、Ｙ＝１０の場合には、ステップＳ１０２に進む。
【００９３】
ステップＳ１０２において、制御部２２１は、点灯スケジュールＳのうち同時点灯する送光プローブ４（送光点）の数が多い点灯サイクルを抽出する。図５に示す例の場合、点灯サイクルの番号が１〜４の点灯サイクル（２以上の送光点を含む点灯サイクル）が抽出される。その後、ステップＳ１０３に進む。
【００９４】
ステップＳ１０３において、制御部２２１は、抽出された同時点灯する送光点が多い点灯サイクルから一部の送光プローブ４（送光点）を、送光点が設定されていない点灯サイクル（点灯サイクル番号が８〜１０）に設定する。たとえば、図１１に示すように、点灯サイクルの番号１に設定されている１３番の送光プローブ４（図５参照）が、点灯サイクルの番号８に設定され、点灯サイクルの番号２に設定されている１４番の送光プローブ４が、点灯サイクルの番号９に設定され、点灯サイクルの番号３に設定されている１１番の送光プローブ４が、点灯サイクルの番号１０に設定される。これにより、点灯サイクルの数Ｘが１０（Ｙ）となる点灯スケジュールＳが決定される。
【００９５】
ステップＳ１０４において、ステップＳ１０３において決定された点灯スケジュールＳが記憶部２３に記憶される。その後、光計測装置２００による点灯スケジュールＳの決定の制御処理が終了される。
【００９６】
第２実施形態では、以下のような効果を得ることができる。
【００９７】
第２実施形態では、上記のように、スケジュール決定手段２３４を、点灯スケジュールＳの点灯サイクルの数Ｘが、ユーザにより設定された点灯サイクルの数Ｙになるように、送光点群Ｗ（ａ）に含まれる送光プローブ４（送光点）の数を増減させるように構成する。これにより、点灯スケジュールＳの点灯サイクルの数Ｘを、ユーザの必要（使用態様）に応じた数Ｙに設定することができる。たとえば、送光プローブ４の総数や計測条件の異なる複数回の計測が行われる場合にも、点灯サイクルの数Ｘが一定であることが望まれる場合には、ユーザの設定操作に基づいて、複数回の計測における点灯サイクルの数Ｘを同一（Ｙ）に設定することができる。また、第２実施形態による光計測装置２００のその他の効果は、第１実施形態における光計測装置１００と同様である。
【００９８】
（第３実施形態）
次に、図１３を参照して、第３実施形態による光計測装置３００の構成について説明する。第３実施形態の光計測装置３００には、複数の計測範囲が設定されており、送光点抽出部は、複数の計測範囲の間隔と、最小の第１距離および最小の第２距離とに基づいて、同時点灯可能な送光点群を抽出するように構成されている。なお、第３実施形態において、上記第１実施形態および第２実施形態と同様の構成については同一の符号を付し、説明を省略する。
【００９９】
図１３に示すように、第３実施形態による光計測装置３００には、計測条件として複数の計測範囲（計測範囲ＭＡ１およびＭＡ２）が設定されている。また、図６に示すように、光計測装置３００の制御部３２１には、距離算出部３３２および送光点抽出部３３３が設けられている。
【０１００】
ここで、第３実施形態では、送光点抽出部３３３は、計測範囲ＭＡ１と計測範囲ＭＡ２との間隔Ｂと、最小の第１距離Ｄおよび最小の第２距離ｄとに基づいて、同時点灯可能な送光点群Ｗ（ａ）を抽出するように構成されている。計測範囲ＭＡ１と計測範囲ＭＡ２とは、たとえば、右側頭部と左側頭部とにそれぞれ計測範囲を設定した場合に該当する。また、間隔Ｂは、ユーザにより入力された値（測定された値）に基づいて設定される。以下、具体的に説明する。
【０１０１】
図１３に示すように、たとえば、ホルダ６に、計測範囲ＭＡ１として１本の送光プローブ４と１本の受光プローブ５とが配置されている。また、ホルダ６に、計測範囲ＭＡ２として２本の送光プローブ４と２本の受光プローブ５とが配置されている。
【０１０２】
制御部３２１（距離算出部３３２および送光点抽出部３３３）は、ユーザの操作入力部２６の設定操作により入力された計測範囲ＭＡ１と計測範囲ＭＡ２との間隔Ｂ、および、計測範囲ＭＡ１と計測範囲ＭＡ２との配置関係の情報を取得する。たとえば、制御部３２１は、間隔Ｂおよび配置関係の情報として、計測範囲ＭＡ２が計測範囲ＭＡ１の矢印Ｙ２方向に間隔Ｂ（たとえば、３ｃｍ）の位置に配置されているという情報を取得する。
【０１０３】
距離算出部３３２は、たとえば、１番の送光プローブ４を第１送光点Ｅ（送光点群Ｗ（ａ）に登録する）とするとともに、２番の送光プローブ４を第２送光点Ｆとして設定する。そして、距離算出部３３２は、上記間隔Ｂおよび配置関係の情報が考慮された第１距離Ｄ８および第２距離ｄ８を算出する。
【０１０４】
送光点抽出部３３３は、第１距離Ｄ８および第２距離ｄ８が距離Ｐ以上であるか否かを判断する。この場合、第２距離ｄ８は、距離Ｐ以上である一方、第１距離Ｄ８は、距離Ｐ未満であるので、送光点抽出部３４は、２番の送光プローブ４を、１番の送光プローブ４が登録された送光点群Ｗ（ａ）には、登録しない。
【０１０５】
次に、距離算出部３３２は、１番の送光プローブ４を第１送光点Ｅとして設定した状態で、３番の送光プローブ４を第２送光点Ｆとして設定して、第１距離Ｄ９および第２距離ｄ９を算出する。この場合、第１距離Ｄ９および第２距離ｄ９は、距離Ｐ以上であるので、送光点抽出部３３３は、３番の送光プローブ４を、１番の送光プローブ４が登録された送光点群Ｗ（ａ）に登録する。また、第３実施形態による光計測装置３００のその他の構成は、第１実施形態（第２実施形態）における光計測装置１００（光計測装置２００）と同様である。
【０１０６】
第３実施形態では、以下のような効果を得ることができる。
【０１０７】
第３実施形態では、上記のように、送光点抽出部３３３を、計測範囲ＭＡ１と計測範囲ＭＡ２との間隔Ｂと、最小の第１距離Ｄおよび最小の第２距離ｄとに基づいて、同時点灯可能な送光点群Ｗ（ａ）を抽出するように構成する。これにより、複数の計測範囲が設定されている場合でも、複数の計測範囲同士の間隔Ｂが考慮されながら同時点灯可能な送光点群Ｗ（ａ）が抽出されるので、１つの受光プローブ５に対して、複数の送光プローブ４からの光が同時に入射されるのをより確実に抑制することができる。また、第３実施形態による光計測装置３００のその他の効果は、第１実施形態における光計測装置１００と同様である。
【０１０８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０９】
たとえば、上記第１〜第３実施形態では、本発明の光計測装置を、光計測ユニットと制御ユニットとを別々に構成する例を示したが、本発明はこれに限られない。本発明では、光計測ユニットと制御ユニットとを一体的（同一の筐体内）に設けてもよい。
【０１１０】
また、上記第１〜第３実施形態では、本発明の第１距離および第２距離が、所定の間隔Ａ（図２参照）と、送光プローブおよび受光プローブの配置情報とに基づいて、距離算出部により算出されるように構成する例を示したが、本発明はこれに限られない。本発明では、第１距離および第２距離が、所定の間隔Ａおよび送光プローブおよび受光プローブの配置情報以外に基づいて、距離算出部により算出されるように構成してもよい。たとえば、３次元の配置情報を取得可能なデジタイザを設けて、デジタイザにより取得された送光プローブおよび受光プローブの配置情報に基づいて、距離算出部により、第１距離および第２距離が算出されるように構成してもよい。
【０１１１】
また、上記第１〜第３実施形態では、本発明の送光点抽出部を、同時点灯可能な送光点群として、最小の第１距離および最小の第２距離が、所定の距離（距離Ｐ）以上であるか否かを判断して送光点群を抽出するように構成する例を示したが、本発明は、これに限られない。本発明では、送光点抽出部を、同時点灯可能な送光点群として、最小ではない第１距離および最小ではない第２距離も、所定の距離（距離Ｐ）以上であるか否かを判断して送光点群を抽出するように構成してもよい。すなわち、全ての第１距離および第２距離を所定の距離（距離Ｐ）と比較するように構成してもよい。
【０１１２】
また、上記第１〜第３実施形態では、本発明の送光点抽出部を、最初に第１送光点として設定する送光点として、１番の送光プローブを設定するように構成する例を示したが、本発明は、これに限られない。本発明では、最初に第１送光点として設定する送光点として、１番以外の送光プローブを設定するように構成してもよい。たとえば、送光点抽出部を、最初に第１送光点として設定する送光点として、１４番の送光プローブを設定するように構成してもよい。
【０１１３】
また、上記第１〜第３実施形態では、本発明の各点灯サイクルに割り当てられた送光点群を識別可能な点灯スケジュールの表示（ガイダンス表示）として、各点灯サイクル毎に色分けされた点灯スケジュールの表示（図９参照）を用いる例を示したが、本発明は、これに限られない。本発明では、各点灯サイクルに割り当てられた送光点群を識別可能な点灯スケジュールの表示（ガイダンス表示）として、各点灯サイクル毎に色分けされた点灯スケジュールの表示以外の表示を用いてもよい。たとえば、各点灯サイクル毎に表示形状（丸形状、四角形状、三角形状など）が変更された表示を用いてもよい。
【０１１４】
また、上記第２実施形態では、本発明のスケジュール決定部を、点灯スケジュールのうち同時点灯する送光点が多い点灯サイクルを抽出して、抽出された同時点灯する送光点が多い点灯サイクルから一部の送光点を、送光点が割り当てられていない点灯サイクルに設定することにより点灯スケジュールの点灯サイクルの数Ｘと、設定された点灯サイクルの数Ｙとを一致させるように構成する例を示したが、本発明は、これに限られない。本発明では、スケジュール決定部を、点灯スケジュールのうち同時点灯する送光点が多い点灯サイクルを抽出せずに、送光点が割り当てられていない点灯サイクルに送光点を設定することにより、点灯サイクルの数Ｘと設定された点灯サイクルの数Ｙとを一致させるように構成してもよい。
【０１１５】
たとえば、図５に示すように、点灯サイクルの数Ｘが７である点灯スケジュールＳを点灯サイクルの数Ｙが１０である点灯スケジュールＳに変更する場合で、かつ、距離算出部３２および送光点抽出部３３を１番の送光プローブ４を最初に第１送光点Ｅに設定する場合には、番号が大きい送光プローブ４から順に、送光点が割り当てられていない点灯サイクル（点灯サイクルの数が８〜１０）に送光点を設定してもよい。この場合、１４番の送光プローブ４が点灯サイクルの番号２から８に設定（割り当て）が変更され、１３番の送光プローブ４が点灯サイクルの番号１から９に設定が変更され、および、１２番の送光プローブ４が点灯サイクルの番号４から１０に設定が変更されるように構成される。
【符号の説明】
【０１１６】
３  光ファイバ（送光手段、受光手段）
４  送光プローブ（送光点、送光手段）
５  受光プローブ（受光点、受光手段）
１１  光源（送光手段）
１２  光検出部（受光手段）
１３  光源駆動部（送光手段）
１５  本体制御部（点灯制御部）
３２、３３２  距離算出部（距離算出手段）
３３、３３３  送光点抽出部（送光点抽出手段）
３４、２３４  スケジュール決定部（スケジュール決定手段）
３５  点灯スケジュール表示制御部（点灯スケジュール表示手段）
１００、２００、３００  光計測装置
【図１】
0006274066.tif 000002
【図２】
0006274066.tif 000003
【図３】
0006274066.tif 000004
【図４】
0006274066.tif 000005
【図５】
0006274066.tif 000006
【図６】
0006274066.tif 000007
【図７】
0006274066.tif 000008
【図８】
0006274066.tif 000009
【図９】
0006274066.tif 000010
【図１０】
0006274066.tif 000011
【図１１】
0006274066.tif 000012
【図１２】
0006274066.tif 000013
【図１３】
0006274066.tif 000014